(57)【要約】【課題】  同じユーザどうしが続けて回線を接続する場合、その再接続の際の無駄を排除した移動体通信システムを提供することである。【解決手段】  使用者が携帯する移動端末機と、前記移動端末機と無線通信する基地局と、基地局どうしを接続する通信ネットワークとを備えた移動体通信システムにおいて、前記通信ネットワークを介して接続された装置の監視を行う監視装置を備え、前記監視装置が、前記移動端末機からの発呼があった際に、該移動端末機の前回の通信から所定時間内であった場合に、発呼先に応じて、今回の通信の該移動端末機に対する基地局からの送信電力を決定する。【選択図】  図１
2006270489.tif 000002
【特許請求の範囲】
【請求項１】
使用者が携帯する移動端末機と、前記移動端末機と無線通信する基地局と、基地局どうしを接続する通信ネットワークとを備えた移動体通信システムにおいて、
前記通信ネットワークを介して接続された装置の監視を行う監視装置を備え、
前記監視装置が、前記移動端末機からの発呼があった際に、該移動端末機の前回の通信から所定時間内であった場合に、発呼先に応じて、今回の通信の該移動端末機に対する基地局からの送信電力を決定する
ことを特徴とする移動体通信システム。
【請求項２】
前記監視装置が、前記移動端末機からの発呼の発呼先が、該移動端末機の前回の通信の相手であった場合、該前回の通信時の送信電力を、今回の通信の該移動端末機に対する基地局からの送信電力として決定する
ことを特徴とする請求項１に記載の移動体通信システム。
【請求項３】
前記監視装置が、前記移動端末機からの発呼があった際に、該発呼先の移動端末機も発呼している場合、所定の一方の移動端末機を待ちうけ状態にするよう制御する
ことを特徴とする請求項２に記載の移動体通信システム。
【請求項４】
前記待ちうけ状態にする所定の一方の移動端末機を、前回の通信時にどちらからの発呼で通信が開始されたかによって決定する
ことを特徴とする請求項３に記載の移動体通信システム。
【請求項５】
請求項１ないし４のうちのいずれか１項に記載の監視装置。
【請求項６】
前記移動端末機が携帯電話機であることを特徴とする請求項１ないし４のうちのいずれか１項に記載の移動体通信システム。
【発明の詳細な説明】
【技術分野】
【０００１】
本発明は移動体通信システムに関し、たとえば携帯電話システムのような基地局と移動端末機との間で通信を行う移動体通信システムに関する。
【背景技術】
【０００２】
従来から携帯電話システムのような移動体通信システムが提供されているが、このような通信システムにおいては、たとえば携帯電話機のような移動端末機と別の移動端末機とで通話中に、一時的に電波状況が悪化したりして、使用者の意思に関係なく回線が切断されてしまうことがある。
【０００３】
このような状況では、通話の途中であるためにその通話を継続するには、使用者は再度電話をかけて回線を接続する必要が生じてしまう。このような操作は使用者にとって煩雑であるため、これを容易にする手段が望まれていた。
【０００４】
このような問題を解決するため、特許文献１に記載の発明では、通話中に使用者による終話操作がないのに回線切断した場合には、自動的に再度回線接続するように再発呼する無線電話装置が開示されている。
【０００５】
【特許文献１】特開平５−２７６１０４号公報
【発明の開示】
【発明が解決しようとする課題】
【０００６】
ところが、従来技術においては未だ以下のような問題があった。
【０００７】
たとえば移動体通信システムにおいては、基地局と移動端末機間の通信状況に応じて送信電力レベルが最適値になるように、随時、送信電力レベルを制御する手法が知られている。
【０００８】
従来、特許文献１に記載のように、続けて回線を再接続する場合においても接続するたびに電力制御をしなければならない。
【０００９】
ところで、続けて回線を接続するのは、伝播状況が瞬間的に悪くなり、切断した際に多いと思われる。そのような場合にも従来どおりの電力制御をしていたのでは、無駄があると考えられる。また、回線を接続していた移動端末機の両方が同時に回線接続要求をすると、ぶつかってしまい接続できないという問題もある。
【００１０】
本発明は、上記の点にかんがみてなされたもので、同じユーザどうしが続けて回線を接続する場合、その再接続の際の無駄を排除した移動体通信システムを提供することを目的とする。
【課題を解決するための手段】
【００１１】
本発明は、上記の目的を達成するため、使用者が携帯する移動端末機と、前記移動端末機と無線通信する基地局と、基地局どうしを接続する通信ネットワークとを備えた移動体通信システムにおいて、前記通信ネットワークを介して接続された装置の監視を行う監視装置を備え、前記監視装置が、前記移動端末機からの発呼があった際に、該移動端末機の前回の通信から所定時間内であった場合に、発呼先に応じて、今回の通信の該移動端末機に対する基地局からの送信電力を決定することを特徴とする。
【００１２】
また本発明は、同じユーザどうしが続けて回線を接続する場合、前回の最終値を用いることで消費電力を少なくし、また、同期するまでに要する時間を削減するよう制御する。さらに、どちらかのユーザを待ち受けにさせることで回線接続をスムーズに行う。
【発明の効果】
【００１３】
本発明によれば、回線が切断され、同じユーザどうしが続けて回線を再接続する場合、初期送信電力において前回の最終値を用いることで消費電力を少なくし、また、同期するまでに要する時間を削減できる。さらに、どちらかのユーザを待ち受けにさせることで回線接続をスムーズにすることができる。
【発明を実施するための最良の形態】
【００１４】
以下、添付された図面を参照して本発明の構成及び動作を詳細に説明する。
【００１５】
この実施例は、基地局と移動端末機間の通信状況に応じて送信電力レベルが最適値になるように、随時、送信電力レベルを制御する移動体通信システムに関するものである。
【００１６】
図１を参照すると、本実施例は、監視装置１１と、第１の基地局１２と、第２の基地局１３と、第１の移動端末機１４と、第２の移動端末機１５と、通信ネットワーク１６と、データベース１７とから構成されている。
【００１７】
これらの監視装置１１、基地局１２、基地局１３、移動端末機１４、移動端末機１５、データベース１７は、インターネット等の通信ネットワーク１６を介して相互に接続されている。
【００１８】
監視装置１１は、移動端末機１４、移動端末機１５などの移動端末機に関する情報を保存しているデータベース１７を有しており、データベース１７には、各移動端末毎に、回線接続要求をした移動端末機の端末ＩＤ２１、回線接続要求をした移動端末機の接続相手端末ＩＤ２２、前回の通信相手端末ＩＤ２３、初期送信電力Ｐｉｎｉ２４、終話時送信電力Ｐ２５、接続要求ＩＤ２６を保存している。
【００１９】
端末ＩＤ２１と、相手端末ＩＤ２２、前回の通信相手端末ＩＤ２３、初期送信電力Ｐｉｎｉ２４）、終話時送信電力Ｐ２５、接続要求ＩＤ２６とは紐付けされており、回線接続相手が変わる度に、この相手端末ＩＤ２２、前回の通信相手端末ＩＤ２３、初期送信電力Ｐｉｎｉ２４）、終話時送信電力Ｐ２５および接続要求ＩＤ２６を上書きして使用することにより、最後に回線接続した際の情報が残るようにする。
【００２０】
端末ＩＤ２１は回線接続要求をした移動端末機固有のＩＤとする。回線接続をするときに移動端末機は基地局に端末ＩＤ２１を送信し、基地局は受け取った端末ＩＤ２１を監視装置１１のデータベース１７に登録することとする。
【００２１】
相手端末ＩＤ２２は回線接続要求をした移動端末機の接続相手端末の移動端末機固有のＩＤとする。回線接続をするときに、移動端末機は基地局に相手端末ＩＤ２２を送信することとする。そのとき、基地局は受け取った相手端末ＩＤ２２を監視装置１１のデータベース１７に登録することとする。基地局は受け取った相手端末ＩＤ２２を、相手端末機用のデータを保存するために新規で端末ＩＤ２１として登録することとする。回線切断をするときには、最後に、監視装置１１は相手端末ＩＤ２２をクリアすることとする。
【００２２】
前回の通信相手ＩＤ２３は移動端末機が接続要求をした前回の相手端末のＩＤであり、移動端末機固有のＩＤとする。監視装置１１は、回線切断時に、相手端末ＩＤ２２を同じ端末ＩＤ２１に紐付けされている前回の通信相手端末ＩＤ２３に代入してデータベース１７に登録することとする。そのため、新規接続後、回線切断までは前回の通信相手端末ＩＤ２３には値は入らないこととする。
【００２３】
初期送信電力Ｐｉｎｉ２４は、あらかじめ移動端末機の位置等によって一意に決まる固定値に決めておき、基地局がそれぞれの移動端末機へ送信する送信電力とする。基地局が端末ＩＤ２１をデータベース１７に登録したときに、初期送信電力Ｐｉｎｉ２４も同時に登録することとする。
【００２４】
終話時送信電力Ｐ２５は、それぞれの移動端末機が回線切断する直前に基地局が送信していた送信電力とする。基地局は回線切断時に終話時送信電力Ｐ２５を監視装置１１のデータベース１７に登録することとする。回線が接続されているとき、基地局は移動端末機での受信レベルを最適にするために、基地局と移動端末機間の電波の伝播状況に応じ、初期送信電力Ｐｉｎｉ２４を初期値として送信電力を変動させている。そのため、回線が切断されるときには、送信電力は終話時送信電力Ｐ２５として初期送信電力Ｐｉｎｉ２４とは異なる値となっている。
【００２５】
接続要求ＩＤ２６は、前回、端末ＩＤ２１の移動端末機が他の移動端末機に回線接続要求を出したことを示すものとする。監視装置１１は、移動端末機が回線接続要求をしたとき、接続要求をした移動端末機の端末ＩＤ２１に紐付けされている接続要求ＩＤ２６に、移動端末機が接続要求をしたことを記録することとする。他の移動端末機から回線接続要求を受けた場合には、何も記録しないこととする。
【００２６】
図２を参照すると、監視装置１１は、データベース１７とリダイヤル判定部２８と相手端末状態判定部２９と前回の接続要求判定部３０と初期送信電力決定部３１とから構成されている。
【００２７】
監視装置１１は端末ＩＤ２１ごとにタイマ２７を持つ。端末ＩＤ２１の移動端末機が回線を切断したときにタイマ２７を開始することとする。端末ＩＤ２１の移動端末機から、ある一定時間回線接続要求がなくタイマ２７がしきい値Ｔ（例えば５分など）を超えた場合はデータベース１７から、端末ＩＤ２１とそれに紐付けされている回線接続要求をした移動端末機の接続相手端末ＩＤ２２、前回の通信相手端末ＩＤ２３、初期送信電力Ｐｉｎｉ２４、終話時送信電力Ｐ２５、接続要求ＩＤ２６を消去する。一定時間を越えた後、このデータベース１７の情報を利用しても、移動端末機は移動しており、前回の終話時送信電力Ｐ２５を使用しても効果が見込めないため、及び、データベース１７の有効利用のためである。また、データベース１７には、その時点において通信ネットワーク１６上で回線接続をしているすべての移動端末機の端末ＩＤ２１と、タイマ２７がタイムアウトしていない端末ＩＤ２１が登録されることとする。
【００２８】
リダイヤル判定部２８は、移動端末機が回線要求をしたときに送信する相手端末ＩＤ２２と前回の相手端末ＩＤ２３とが一致するかどうかを判定することとする。
【００２９】
相手端末状態判定部２９は、回線接続要求をしている移動端末機に紐付けされている相手端末ＩＤ２２がデータベース１７に端末ＩＤ２１として登録されているかどうかを判定することとする。端末ＩＤ２１が登録されていない場合、または、登録されていたが、端末ＩＤ２１に紐付けされている相手端末ＩＤ２２がブランクである場合、移動端末機は待ちうけ状態とする。端末ＩＤ２１が登録されており、かつ、端末ＩＤ２１に紐付けされている相手端末ＩＤ２２が回線接続要求をしている移動端末の端末ＩＤ２１である場合は、同時間にお互いが回線接続要求をしていることとする。端末ＩＤ２１が登録されていたが、相手端末ＩＤ２２が回線接続要求をしている移動端末の端末ＩＤ２１でない場合、相手移動端末が、接続要求をしている移動端末以外の移動端末に回線接続をしていることとする。
【００３０】
前回の接続要求判定部３０は、接続要求をしている移動端末機と接続要求をされた移動端末機の端末ＩＤ２１に紐付けされている接続要求ＩＤ２６をチェックし、前回どちらが回線接続要求をしたかを検出することとする。
【００３１】
リダイヤル判定部２８において、相手移動端末が、接続要求をしている移動端末以外の移動端末に回線接続をしていたとき、初期送信電力決定部３１は、移動端末機の端末ＩＤ２１に紐付けされている初期送信電力Ｐｉｎｉ２４を基地局に通知することとする。また、リダイヤル判定部２８で前回の相手端末と今回の相手端末が同じであった場合は移動端末機の端末ＩＤ２１に紐付けされている終話時送信電力Ｐ２５を初期送信電力として使用するように基地局に通知することとする。
【００３２】
データベースＡ７に端末ＩＤ２１が新規で登録された場合は、終話時送信電力Ｐ２５に値は入っていないため、初期送信電力Ｐｉｎｉ２４を用いることにし、監視装置１１は基地局にその値を通知する。
【００３３】
回線切断後、すぐ同じ相手に回線接続要求をする場合には、重要な電話であればあるほどそこへ立ち止まり、即リダイヤルする可能性が高いため、回線が切断した周辺環境とリダイヤルするときの周辺環境が同じとなる。そのため、回線切断後、回線接続要求をする際、再接続前後の相手が同じ場合、終話時送信電力Ｐ２５を用いることにし、監視装置１１は基地局にその値を通知する。
【００３４】
回線切断後、回線接続要求をする際、前回の回線接続相手と今回の接続相手が違う場合、急いでリダイヤルしたり立ち止まる可能性が低く、位置を移動するなどして周囲の環境が変わり、この発明を適用しても効果がないため、監視装置１１は初期送信電力Ｐｉｎｉ２４を基地局に通知することとする。
【００３５】
また、回線切断後にすぐ同じ相手に回線接続要求をする場合、お互いの移動端末が同時に回線接続要求をする確率が高い。その場合にはどちらかの移動端末を回線接続要求状態から待ちうけ状態に遷移させることとする。同時に回線接続要求をしている状態とは、監視装置１１のデータベース１７において、同時間に移動端末機１４と移動端末機１５の端末ＩＤがデータベース１７に登録されており、さらに、移動端末機１４の相手端末ＩＤ２１が移動端末機１５の端末ＩＤであり、移動端末機１５の相手端末ＩＤが移動端末機１４の端末ＩＤ２１となっている状態を指す。待ちうけ状態にさせる移動端末機は、前回の通信回線接続時に接続要求を受けた側の移動端末機とすることとする。
【００３６】
［実施例の動作の説明］
以下に説明する例は、移動端末機１４と移動端末機１５とが新規で回線接続をしており、回線切断後、再接続をする際に関するものとする。また、ここでは、移動端末機１４を主として説明する。
【００３７】
端末ＩＤ２１、初期送信電力Ｐｉｎｉ２４は新規回線接続時にデータベース１７に登録されている。
【００３８】
移動端末機１４の回線を切断するとき、監視装置１１はデータベース１７内の移動端末機１４の端末ＩＤ２１に紐付けされている相手端末ＩＤ２２を、前回の通信相手端末ＩＤ２３に登録する。基地局１２は終話時送信電力Ｐ２５を監視装置１１のデータベース１７に登録する。この後、タイマ２７をスタートする（ステップＣ０）。
【００３９】
タイマ２７がＴ時間を超える前に、移動端末機１４が移動端末機１５に対して、回線接続要求をする場合の動作を述べる。このとき、移動端末機１４は自分の端末ＩＤ２１と相手端末ＩＤ２２を基地局１２に送信する。基地局１２は、移動端末機１４から受け取った端末ＩＤ２１と相手端末ＩＤ２２をデータベース１７に登録する。監視装置１１は、接続要求ＩＤ２６をデータベース１７に登録する。
【００４０】
監視装置１１はデータベースを移動端末機１４の端末ＩＤ２１で検索する。このとき、移動端末機１４が、移動端末機１５との回線切断後Ｔ時間経過していないので、データベース１７には、端末ＩＤ２１が登録されているはずである。基地局１２は、移動端末機１４から受け取った相手端末ＩＤ２２を、検索して見つかった端末ＩＤ２１に紐付けされている相手端末ＩＤ２２へ代入してデータベース１７に登録する。監視装置１１は初期送信電力Ｐｉｎｉ２４と接続要求ＩＤ２６も同時に登録する。これで、移動端末機１４に関する情報である端末ＩＤ２１、相手端末ＩＤ２２、前回の相手端末ＩＤ２３、初期送信電力Ｐｉｎｉ２４、終話時送信電力Ｐ２５、接続要求ＩＤ２６がすべて保存される（ステップＣ１）。
【００４１】
次に、監視装置１１は、リダイヤル判定部２８において、移動端末機１４の相手端末ＩＤ２２と前回の相手端末ＩＤ２３とが一致するかどうか、リダイヤル判定を行なう（ステップＣ２）。
【００４２】
ステップＣ２において、相手端末ＩＤ２２と前回の相手端末ＩＤ２３とが一致しなかった場合は、初期送信電力決定部３１は、初期送信電力Ｐｉｎｉ２４で送信するように、監視装置１１は基地局１２に通知する（ステップＣ３）。
【００４３】
ステップＣ２において、相手端末ＩＤ２２と前回の相手端末ＩＤ２３とが一致した場合は、相手端末状態判定部２９は、相手端末の状態判定をする（ステップＣ４）。
【００４４】
ステップＣ４において、移動端末機１４の相手端末ＩＤ２２である移動端末機１５の端末ＩＤ２１が登録されていない場合、または、登録されていたが、端末ＩＤ２１に紐付けされている相手端末ＩＤ２２がブランクである場合、相手端末の状態を、移動端末機１５が待ちうけ状態とし、ステップＣ５へ進む。
【００４５】
ステップＣ４において、移動端末機１４の相手端末ＩＤ２２である移動端末機１５の端末ＩＤ２１が登録されており、かつ、移動端末機１５の端末ＩＤ２１に紐付けされている相手端末ＩＤ２２が移動端末機１４の端末ＩＤ２１である場合は、相手端末の状態を、移動端末機１５が移動端末機１４に同時間に回線接続要求をしていることとする。その場合、前回の接続要求判定部３０において、前回回線接続要求をした端末判定をする（ステップＣ６）。
【００４６】
ステップＣ６において、移動端末機１４の接続要求ＩＤ２６に、前回移動端末機が接続要求をしたことが記録されていた場合、監視装置１１は移動端末機１５を待ちうけ状態にさせるようにし（ステップＣ８）、終了する（ステップＣ１０）。
【００４７】
ステップＣ６において、移動端末機１４の接続要求ＩＤ２６がブランクの場合、監視装置１１は移動端末機１４を待ちうけ状態にさせ（ステップＣ９）、終了する（ステップＣ１０）。
【００４８】
ステップＣ４において、移動端末機１４の相手端末ＩＤ２２でデータベース１７に登録されている端末ＩＤ２２と一致するものがあるか検索した結果、移動端末機１４の相手端末ＩＤ２２である移動端末機１５の端末ＩＤ２１が登録されていたが、移動端末機１５の相手端末ＩＤ２２が移動端末機１４の端末ＩＤ２１でない場合、相手端末の状態判定の結果は、移動端末機１５が移動端末機１４以外に回線接続をしていることとする。監視装置１１は、移動端末機１５が移動端末機１４以外に回線接続をしていることを基地局１２を通して移動端末機１４へ通知し（ステップＣ７）、終了する（ステップＣ１０）。
【００４９】
ステップＣ４の相手端末の状態判定で移動端末機１５が待ちうけ状態の場合、若しくはステップＣ８を処理した場合、監視装置１１の初期送信電力決定部３１は、初期送信電力を終話時送信電力Ｐ２５で送信するように、移動端末機１４用の終話時送信電力Ｐ２５を基地局１２へ、移動端末機１５用の終話時送信電力Ｐ２５を基地局１３へ通知（ステップＣ５）し、終了する（ステップＣ１０）。
【００５０】
次に、基地局から初期送信電力で下りの送信を開始してから、下りの同期確立をするまでの従来の方法と本発明による方法の動作について説明する。
【００５１】
図４は前回に回線を接続していたときの送信電力の推移を表し、最後の送信電力Ｐは終話時送信電力Ｐ２５に相当する。
【００５２】
図５は再接続時の送信電力の推移を表し、図５（ａ）は従来の方法を示しており、図５（ｂ）は本実施例による送信電力の推移を表す。
【００５３】
図４に示す場合および図５（ａ）に示す場合では、初期送信電力から始まり送信電力レベルが最適値になるまでにＴ１（ｓｅｃ）の時間を要している。
【００５４】
これに対し、図５（ｂ）に示す場合では、初期送信電力値に前回の最終値である終話時送信電力Ｐ２５を用いることで、すぐに送信電力レベルを最適値にすることができ、図５（ａ）に示す場合において送信電力レベルが最適値になるまでにＴ１（ｓｅｃ）時間を要していた分の時間および消費電力を削減することができる。
【図面の簡単な説明】
【００５５】
【図１】本発明による移動体通信システムの構成の一例を示すブロック図である。
【図２】図１に示した監視装置１１の内部構成を示すブロック図である。
【図３】図１に示した移動体通信システムの動作を示すフローチャートである。
【図４】前回に回線を接続していたときの送信電力の推移の一例を示す図である。
【図５】再接続時の送信電力の推移の一例を示す図であり、（ａ）は従来の方法による場合を示す図であり、図５（ｂ）は図１に示した実施例による場合を示す図である。
【符号の説明】
【００５６】
１１  監視装置
１２、１３  基地局
１４、１５  移動端末機
１６  通信ネットワーク
１７  データベース
２１  端末ＩＤ
２２  相手端末ＩＤ
２３  前回の通信相手
２４  初期送信電力
２５  終話時送信電力
２６  接続要求ＩＤ
２７  タイマ
２８  リダイヤル判定部
２９  相手端末状態判定部
３０  前回の接続要求判定部
３１  初期送信電力決定部
【図１】
2006270489.tif 000003
【図２】
2006270489.tif 000004
【図３】
2006270489.tif 000005
【図４】
2006270489.tif 000006
【図５】
2006270489.tif 000007